(57)【特許請求の範囲】
【請求項１】
ＬＡＮシステムにおける端末の移動検出方法であって、
管理装置において、移動した端末の機器識別情報を移動先の中継機から送信を受け、当該機器識別情報と共に予め前記管理装置に記憶されている端末に関する情報からなるデータベースにおいて、前記機器識別情報を有する端末に関する前記情報の相違が検索された場合に、前記端末の移動と判定すると共に、当該管理装置は、端末に関する情報の相違が検出された場合、データベースの更新を行い、更新後のデータを機器識別情報の送信を受けた中継機へ送信することを特徴とするＬＡＮシステムにおける端末の移動検出方法。
【請求項２】
管理装置は、端末に関する情報の相違が検出された場合、当該端末の移動元の中継機へ対して、当該端末の機器識別情報及び関連情報の削除を指令することを特徴とする請求項１記載のＬＡＮシステムにおける端末の移動検出方法。
【請求項３】
ＬＡＮシステムに設けられてシステムの管理を行う管理装置において実行される端末移動検出処理プログラムであって、
移動した端末の機器識別情報を移動先の中継機から送信を受ける第１のステップと、
、前記機器識別情報と共に予め前記管理装置に記憶されている端末に関する情報からなるデータベースにおいて、当該情報の相違を検索する第２のステップと、  前記データベースにおいて、前記機器識別情報を有する端末に関する情報の相違が検索された場合に、当該端末の移動であるとして、前記データベースの更新を行う第３のステップと、
前記データベースの更新後に、当該更新後のデータを機器識別情報の送信を受けた中継機へ送信する第４のステップとを有してなることを特徴とする端末移動検出処理プログラム。
【請求項４】
端末に関する情報の相違が検出された場合、当該端末の移動元の中継機へ対して、当該端末の機器識別情報及び関連情報の削除を指令する第５のステップを有してなることを特徴とする請求項３記載の端末移動検出処理プログラム。
【請求項５】
ＬＡＮシステムに設けられてシステムの管理を行う管理装置において実行される端末移動検出処理プログラムが記録された記録媒体であって、
移動した端末の機器識別情報を移動先の中継機から送信を受ける第１のステップと、
、前記機器識別情報と共に予め前記管理装置に記憶されている端末に関する情報からなるデータベースにおいて、当該情報の相違を検索する第２のステップと、  前記データベースにおいて、前記機器識別情報を有する端末に関する情報の相違が検索された場合に、当該端末の移動であるとして、前記データベースの更新を行う第３のステップと、
データベースの更新後に、当該更新後のデータを機器識別情報の送信を受けた中継機へ送信する第４のステップと、
端末に関する情報の相違が検出された場合、当該端末の移動元の中継機へ対して、当該端末の機器識別情報及び関連情報の削除を指令する第５のステップとを有してなることを特徴とする端末移動検出処理プログラムが記録された記録媒体。
【請求項６】
ＬＡＮシステムに設けられてシステムの管理を行う管理装置であって、
移動した端末の機器識別情報を移動先の中継機から送信を受け、前記機器識別情報と共に予め前記管理装置に記憶されている端末に関する情報からなるデータベースにおいて、前記機器識別情報を有する端末に関する前記情報の相違が検索された場合に、当該端末の移動と判定すると共に、前記データベースの更新を行い、当該更新後のデータを機器識別情報の送信を受けた中継機へ送信する一方、  前記端末の移動元の中継機へ対して、当該端末の機器識別情報及び関連情報の削除を指令するよう構成されてなることを特徴とするＬＡＮシステム用管理装置。
【請求項７】
ネットワーク機器が接続されて相互にパケットの授受が可能に構成されてなるＬＡＮシステムであって、
当該ＬＡＮシステムは、システムの管理を行う管理装置を有し、前記管理装置は、請求項６記載の構成を有してなるものであることを特徴とするＬＡＮシステム。
【発明の詳細な説明】
【０００１】
【発明の属する技術分野】
本発明は、ＬＡＮシステムに係り、特に、ＬＡＮシステムにおける端末移動の検出処理を行うための方法、プログラム及びその実現に用いられる中継機並びにＬＡＮシステムに関する。
【０００２】
【従来の技術】
パーソナルコンピュータの性能向上、低価格化等により、従来に比してよりコンピュータのネットワーク化が容易となり、様々な規模のいわゆるＬＡＮ(Local
Area Network)が普及しつつある。
このＬＡＮの一形態として、端末とネットワークとの接続を無線回線を介して可能としたIEEE802.11bに準拠する無線ＬＡＮが、端末の場所にとらわれずにネットワークとの接続が可能で、いわゆる有線ＬＡＮに比して配線作業などが極力少なくて済む等の利点があることから近年注目されており、無線ＬＡＮに関する種々の提案がなされている（例えば、特開平８−１３９７２３号公報等参照）。
このような無線ＬＡＮにおいては、無線回線を介して端末と通信を行いつつ、ネットワークと端末間のパケットの授受を仲介する機能を果たす一般にアクセスポイントと称される無線中継機が用いられている。かかる無線中継機は、原則として、パケット信号を増幅して単に中継するだけのいわゆるリピータである。
ところで、このような無線ＬＡＮシステムにおいて、端末を移動してその属する無線中継機を自由に変えて使用することができれば、無線ＬＡＮ本来の利便性がより高めることができ好都合である。
そのため、そのような処理を効率良く行えるよう種々の方策が提案されている（例えば、特開平８−３０７４４６号等公報参照）。
【０００３】
【発明が解決しようとする課題】
しかしながら、例えば、特開平８−３０７４４６号公報に開示された方法にあっては、端末の移動が生じた際に、その旨を同一セグメントにブロードキャストするようになっているため、本来不要な機器へ対してもパケットを送ることとなるために、無駄なトラフィックを生じさせることとなり、トラフィック効率の低下を招くという問題があった。
【０００４】
本発明は、上記実状に鑑みてなされたもので、端末の移動を簡易に検出でき、トラフィックの低下を招くことなく移動に伴い必要となる処理を円滑に行うことが可能となるＬＡＮシステムにおける端末の移動検出方法、端末移動検出処理プログラム、端末移動検出処理プログラムを記録した記録媒体、ＬＡＮシステム用管理装置及びＬＡＮシステムを提供するものである。
本発明の他の目的は、従来に比して端末の移動が容易となるＬＡＮシステムにおける端末の移動検出方法、端末移動検出処理プログラム、端末移動検出処理プログラムを記録した記録媒体、ＬＡＮシステム用管理装置及びＬＡＮシステムを提供することにある。
【０００５】
【課題を解決するための手段】
上記発明の目的を達成するため、本発明に係るＬＡＮシステムにおける端末の移動検出方法は、
管理装置において、移動した端末の機器識別情報を移動先の中継機から送信を受け、当該機器識別情報と共に予め前記管理装置に記憶されている端末に関する情報からなるデータベースにおいて、前記機器識別情報を有する端末に関する前記情報の相違が検索された場合に、前記端末の移動と判定すると共に、当該管理装置は、端末に関する情報の相違が検出された場合、データベースの更新を行い、更新後のデータを機器識別情報の送信を受けた中継機へ送信するものである。
【０００６】
かかる構成においては、移動先の中継機から移動した端末の機器識別情報が送信される際に、管理装置においては当然にその中継機が認識されるが、予め管理装置に記憶されている各端末に関する種々の情報からなるデータベースには、端末が属する中継機の情報なども含まれており、端末が移動したのであれば、データベースの情報との相違が生ずることに着目したものである。すなわち、端末の移動が生ずれば、データベースにある当該端末に関する中継機などの情報と、管理装置によって認識された移動先の中継機などの情報には相違が生ずるため、このことを以て、端末の移動と判断することができることとなり、従来と異なり、簡易に端末検出が可能となるものである。
【０００７】
【発明の実施の形態】
以下、本発明の実施の形態について、図１乃至図１３を参照しつつ説明する。
なお、以下に説明する部材、配置等は本発明を限定するものではなく、本発明の趣旨の範囲内で種々改変することができるものである。
最初に、本発明の実施の形態における無線ＶＬＡＮシステムの構成について、図１を参照しつつ説明する。
この無線ＶＬＡＮシステムは、いわゆるハードウェアの構成自体は、従来の無線ＬＡＮシステムと基本的に同様なもので、まず、ＬＡＮ基幹線１が設けられており、このＬＡＮ基幹線１に様々なネットワーク機器が有線接続されているものである。すなわち、ＬＡＮ基幹線１には、サーバ２、管理用コンピュータ３、レイヤ３タイプ無線中継機４、さらには、必要に応じて有線接続型無線中継機５が接続されたものとなっている。
また、レイヤ３タイプ無線中継機４と無線回線を介して接続される無線接続型無線中継機が複数設けられたものとなっており、本発明の実施の形態においては、２台、すなわち、第１及び第２の無線接続型無線中継機６Ａ，６Ｂが設けられた構成となっている。
そして、有線接続型無線中継機５、第１及び第２の無線接続型無線中継機６Ａ，６Ｂと無線回線を介してパケットの授受を行う複数の無線端末７ａ〜７ｇが設けられている。
【０００８】
サーバ２は、端末（クライアント）からの要求に応じた処理を実行する公知・周知のもので、その役割によってファイルサーバ、プリントサーバ等、種々あるが、ここではいずれのものであってもよく、特定の種類のものに限定される必要はないものである。
管理装置としての管理用コンピュータ３は、この無線ＬＡＮシステム全体の管理を行うためのコンピュータで、これは、上述のサーバ２を兼ねるものであっても良いものである。
本発明の実施の形態におけるレイヤ３タイプ無線中継機４は、従来タイプの無線中継機、すなわち、換言すれば、IEEE802.11又はIEEE802.11ｂに準拠し、かつ、レイヤ３スイッチ機能を有するものであって、しかも、IEEE802.1Qに規定されたいわゆるタギングＶＬＡＮ機能を備え、さらに、後述するような無線ＶＬＡＮパケット処理機能を有するものである。
本発明の実施の形態における有線接続型無線中継機５は、従来タイプの無線中継機、すなわち、換言すれば、IEEEE802.11又はIEEEE802.11ｂに準拠し、無線端末と有線ＬＡＮとの間で授受されるパケットを単純に転送する中継機に、後述するような無線ＶＬＡＮパケット処理機能及び後述するようなＭＡＣアドレスベースのＶＬＡＮ設定機能が付加されてなるものでる。なお、この構成例においては、有線接続型無線中継機５は、一台のみとなっているが、勿論複数台接続される構成であってもよいものである。
【０００９】
第１及び第２の無線接続型無線中継機６Ａ，６Ｂは、レイヤ３タイプ無線中継機４と無線回線を介して通信可能に構成された点を除けば、基本的な構成は、上述した有線接続型無線中継機５と同様のものである。
【００１０】
無線端末７ａ〜７ｇは、通常、無線送受信機能を有するＮＩＣ(Network Interface Card)と携帯型のパーソナルコンピュータに代表されるコンピュータとから構成されてなる公知・周知のものである。
図１に示された構成においては、無線端末７ａが有線接続型無線中継機５の配下にある、すなわち、有線接続型無線中継機５とパケットの授受が可能な状態に位置しているものとなっている。
また、無線端末７ｂ〜７ｄが、第１の無線接続型無線中継機６Ａの配下にあり、無線端末７ｅ〜７ｇが第２の無線接続型無線中継機６Ｂの配下にあるものとなっている。なお、ここで、「配下にある」とは、ある無線端末がある無線中継機と無線回線を介して通信できる範囲にあり、かつ、後述するように、その無線中継機の所定の記憶領域において、その無線端末のＭＡＣアドレスが他の情報（VLAN識別子等）と共に記憶されている状態を意味する。
【００１１】
そして、本発明の実施の形態において、有線接続型無線中継機５、第１及び第２の無線接続型無線中継機６Ａ，６Ｂは、次述するように無線側の端末、すなわち、無線端末にＶＬＡＮ設定ができるようになっている。
例えば、有線接続型無線中継機５においては、無線端末７ａを第１のＶＬＡＮ（以下「ＶＬＡＮ１」と言う）に設定し、第１の無線接続型無線中継機６Ａにおいては、無線端末７ｂ，７ｃをＶＬＡＮ１に、無線端末７ｄを第２のＶＬＡＮ（以下「ＶＬＡＮ２」と言う）に、それぞれ設定し、第２の無線接続型無線中継機６Ｂにおいては、無線端末７ｅをＶＬＡＮ２に、無線端末７ｆ，７ｇを第３のＶＬＡＮ（以下「ＶＬＡＮ３」と言う）に、それぞれ設定する如くである。
このＶＬＡＮの設定は、それぞれの無線中継機５，６Ａ，６Ｂと図示されないコンピュータとをケーブル接続し、そのコンピュータによってそれぞれの無線中継機５，６Ａ，６Ｂに設定を行っても、また、管理用コンピュータ３から行ってもいずれでも良いものである。
【００１２】
かかるＶＬＡＮの設定により、それぞれの無線中継機５，６Ａ，６Ｂの所定の記憶領域には、配下となる無線端末７ａ〜７ｇの各々のＭＡＣアドレスと、それぞれの無線端末７ａ〜７ｇの属するＶＬＡＮグループとの対応関係が記憶されることとなる。
上述の例の場合、例えば図７（Ａ）〜図７（Ｃ）に示されたような対応関係が記憶されることとなる。ここで、ＭＡＣアドレスは、便宜上簡潔な表現としてあり、「xxxx1」は、無線端末７ａのＭＡＣアドレスを、「xxxx2」は、無線端末７ｂのＭＡＣアドレスを、「xxxx3」は、無線端末７ｃのＭＡＣアドレスを、「xxxx4」は、無線端末７ｄのＭＡＣアドレスを、「xxxx5」は、無線端末７ｅのＭＡＣアドレスを、「xxxx6」は、無線端末７ｆのＭＡＣアドレスを、「xxxx7」は、無線端末７ｇのＭＡＣアドレスを、それぞれ表すものとする。
このように、本発明の実施の形態における無線中継機５，６Ａ，６ＢにおけるＶＬＡＮ設定は、ＭＡＣアドレスに対応づけてＶＬＡＮグループを定めるものであり、いわゆるＭＡＣアドレスベースのＶＬＡＮ設定となっている。
【００１３】
次に、図２乃至図１２を参照しつつ、上述の構成におけるレイヤ３タイプ無線中継機４、有線接続型無線中継機５、第１及び第２の無線接続型無線中継機６Ａ，６Ｂ並びに管理用コンピュータ３において実行されるパケット処理の手順について説明する。なお、以下の説明において、レイヤ３タイプ無線中継機４、有線接続型無線中継機５、第１及び第２の無線接続型無線中継機６Ａ，６Ｂに共通する処理である場合には、これらの総称として無線中継機と称することとし、上述の三種類の内、特定の無線中継機における処理である場合にはその特定の無線中継機の名称を用いることとする。
処理が開始されると、無線中継機は、最初にパケットの受信状態とされ、パケット入力がある場合にはパケットの受信が行われることとなる（図２のステップＳ０１０参照）。
次いで、パケットの受信がなされると、その受信されたパケットがタグ付きパケットであるか否かの判定が行われ（図２のステップＳ０１２参照）、タグ付きパケットであると判定された場合（ＹＥＳの場合）には、ステップＳ０２８の処理へ進む一方、タグ付きパケットではないと判定された場合（ＮＯの場合）には、ステップＳ０１４の処理へ進むこととなる。
【００１４】
ここで、パケットに付加されるタグとは、IEEE802.1QのタギングVLAN機能に基づいて、図８に例示されたようにパケットに付加されるVLAN識別子(VLAN ID)である。
図８は、VLAN識別子とその前後のパケットの内容の概略を模式的に示したもので、VLAN識別子より前の部分には、先頭側から順に、宛先ＭＡＣアドレス、ソース（送信元）ＭＡＣアドレスが配され、VLAN識別子より後には、宛先ＩＰアドレスが配されたものとなっている。
【００１５】
再び図２に戻り、先のステップＳ０１２において、タグ付きパケットであると判定された場合（ＹＥＳの場合）は、当該パケットが転送されて来たパケットであることを意味する。そして、ステップＳ０２８においては、受信されたパケットに含まれる送信元ＭＡＣアドレス（図８参照）が読み取られることとなる。次いで、検索テーブルに上記ステップＳ０２８で取得された送信元ＭＡＣアドレスがあるか否かが判定されることとなる（図２のステップＳ０３０参照）。
ここで、検索テーブルとは、無線中継機５，６Ａ，６Ｂのそれぞれにおいて、その配下となっているそれぞれの無線端末７ａ〜７ｇの種々の管理情報の対応関係を表したものである。すなわち、具体的には、管理情報は、例えば、各々の無線端末７ａ〜７ｇのＭＡＣアドレスと、ＭＡＣアドレスベースで設定されたＶＬＡＮグループを識別するために付与されるVLAN識別子と、ＩＰアドレスと、サブネットマスクである。そして、検索テーブルとしては、これらの管理情報がＭＡＣアドレスに関連づけされた形式、例えば、図９に例示されたような形式で表され、無線中継機の適宜な記憶領域に記憶されたものとなっている。なお、VLAN識別子は、先に述べたような無線中継機５，６Ａ，６ＢにおけるＶＬＡＮ設定の際に、ＶＬＡＮグループを指定した際に、自動的に付与されるようにしても、また、いわゆる手動設定により付与されるようにしてもいずれでもよいものである。
【００１６】
そして、ステップＳ０３０において、先にステップＳ０２８で取得された送信元ＭＡＣアドレスが上述した検索テーブルに有ると判定された場合（ＹＥＳの場合）には、この転送パケットの送信元は、そもそもこの転送パケットを受信した無線中継機の配下の無線端末であることを意味し、その場合には他へ転送する必要がないので、一連の処理が終了されることとなる。
一方、ステップＳ０３０において、先にステップＳ０２８で取得された送信元ＭＡＣアドレスが上述した検索テーブルに無いと判定された場合（ＮＯの場合）には、無線中継機に記憶されているＶＬＡＮグループ以外のサブネット向けのパケットであることを意味することから、まず、先のステップＳ０１０で受信されたパケットの中から宛先ＭＡＣアドレスが読み取られることとなる（図２のステップＳ０３２参照）。
次いで、先にステップＳ０１０で受信されたパケットがブロードキャストパケットであるか否かが判定されることとなる（図２のステップＳ０３４参照）。なお、受信されたパケットがブロードキャストパケットか否かの判定は、一般に良く知られているように、そのパケットに含まれる宛先ＭＡＣアドレスが予め定められたコードであるか否かによって判定されるものとなっている。
そして、ステップＳ０３４において、受信されたパケットがブロードキャストパケットであると判定された場合（ＹＥＳの場合）には、後述するステップＳ４０２の処理へ進むこととなる一方、ブロードキャストパケットではないと判定された場合（ＮＯの場合）には、そのパケットは、いわゆるユニキャストであることを意味し、そのため、後述するステップＳ３０２の処理へ進むこととなる。なお、ステップＳ３０２以降の処理については、図５を参照しつつ、また、ステップＳ４０２以降の処理については、図６を参照しつつ、それぞれ後述することとする。
【００１７】
一方、先のステップＳ０１２において、受信されたパケットがタグ付きパケットではないと判定された場合（ＮＯの場合）には、この処理が行われている無線中継機の配下の無線端末からのパケットであることを意味することから、まず、その受信されたパケットから送信元ＭＡＣアドレス（図８参照）が読み取られることとなる（図２のステップＳ０１４参照）。ここで、無線中継機がその配下の無線端末からのパケットを受信する場合としては、図１に示された構成において言えば次述するような形態が考えられる。
すなわち、まず、無線端末７ｂ〜７ｇから第１又は第２の無線接続型無線中継機６Ａ，６Ｂに対して送信される場合と、無線端末７ａから有線接続型無線中継機５へ対して送信される場合とがある。なお、図１に示された構成においては、配下である無線端末ではないが、サーバ２とレイヤ３タイプ無線中継機４との間において授受されるパケットもタグ無しのパケットとなる。
そして、検索テーブル（図９参照）に先のステップＳ０１４で取得された送信元ＭＡＣアドレスがあるか否かが判定されることとなる（図２のステップＳ０１６参照）。
【００１８】
ステップＳ０１６において、先のステップＳ０１４で取得された送信元ＭＡＣアドレスが検索テーブルに有ると判定された場合（ＹＥＳの場合）には、後述するステップＳ０２４の処理へ進む一方、先のステップＳ０１４で取得された送信元ＭＡＣアドレスが検索テーブルに無いと判定された場合（ＮＯの場合）には、この無線中継機の配下に新たに加わった無線端末からのパケットであることを意味することから、ステップＳ０１４で取得されたＭＡＣアドレスが機器識別情報として管理用コンピュータ３へ送信され、通知されることとなる（図２のステップＳ０１８参照）。ここで、新たな無線端末が無線中継機の配下となる場合とは、例えば、図１に示された構成において、無線端末７ｂが移動して、第１の無線接続型無線中継機６Ａの配下から、第２の無線接続型無線中継機６Ｂの配下となるような場合である。
管理用コンピュータ３においては、上述のステップＳ０１８の処理によって無線中継機から送信された無線端末のＭＡＣアドレスを受信し、そのＭＡＣアドレスの検索等の一連の処理が行われることとなる。
【００１９】
なお、管理用コンピュータ３における上述の動作については、改めて後述することとする。
上述のステップＳ０１８及びＳ０２０の処理に際して、管理用コンピュータ３と無線中継機との間で行われるパケットの授受については、例えば、公知・周知のＳＮＭＰ(Simple Network Management Protocol)によるのが好適である。すなわち、管理用コンピュータ３に公知・周知のＳＮＭＰマネージャを、無線中継機にＳＮＭＰエージェントを、それぞれ搭載するようにすると好適である。
【００２０】
次いで、ステップＳ０２０においては、上述のようにして管理用コンピュータ３から送信される情報の受信がなされることとなる。すなわち、新たな無線中継機の配下となった無線端末のＭＡＣアドレスに対応づけられた、当該無線端末が所属するＶＬＡＮのVLAN識別子、ＩＰアドレス、サブネットマスクが受信されることとなる。
そして、無線中継機の検索テーブル（図９参照）に、この受信したデータが追加されることとなる（図２のステップＳ０２２参照）。
次いで、宛先ＭＡＣアドレスが先にステップＳ０１０で受信されたパケットから読み取られることとなる（図２のステップＳ０２４参照）。
続いて、先のＳ０１０で受信されたパケットがブロードキャストパケットであるか否かが判定されることとなり（図２のステップＳ０２６参照）、受信されたパケットがブロードキャストパケットであると判定された場合（ＹＥＳの場合）には、後述するステップＳ２０２の処理（図４参照）へ進むこととなる一方、ブロードキャストパケットではないと判定された場合（ＮＯの場合）には、そのパケットは、ユニキャストであることを意味し、そのため、後述するステップＳ１０２の処理（図３参照）へ進むこととなる。
【００２１】
次に、ステップＳ１０２以降の処理については、図３を参照しつつ、ステップＳ２０２以降の処理については、図４を参照しつつ、ステップＳ３０２以降の処理については、図５を参照しつつ、ステップＳ４０２以降の処理について図６を参照しつつ、それぞれ順に説明することとする。
まず、ステップＳ１０２以降の処理について図３を参照しつつ説明すれば、ステップＳ１０２においては、先のステップＳ０２６（図２参照）において、受信されたパケットがブロードキャストパケットではないと判定されたことは、受信されたパケットがユニキャストであることを意味することから、ステップＳ１０２においては、まず、先のステップＳ０２４（図２参照）で取得された宛先ＭＡＣアドレスが無線中継機の検索テーブル中に存在するか否かが判定されることとなる（図３参照）。そして、当該宛先ＭＡＣアドレスが検索テーブル中にありと判定された場合（ＹＥＳの場合）には、パケットがこの無線中継機の配下の無線端末宛であることを意味することから、無線中継機によってパケットは、そのまま、すなわち、タグ（VLAN識別子）が付加されることなく送信されることとなる（図３のステップＳ１０８参照）。
一方、ステップＳ１０２において、先のステップＳ０２４（図２参照）で取得された宛先ＭＡＣアドレスが無線中継機の検索テーブル中に存在しないと判定された場合（ＮＯの場合）には、そのパケットを転送する必要があるため、まず、先のステップ０１０で受信されたパケットから送信元ＭＡＣアドレスが読み取られることとなる（図３のステップＳ１０４参照）。
【００２２】
次いで、このステップＳ１０４で取得された送信元ＭＡＣアドレスを指標として、無線中継機に記憶されている先の検索テーブル（図９参照）から、この送信元ＭＡＣアドレスに対応するVLAN識別子が読み取られると共に、このVLAN識別子は、先に受信されたパケット（図２のステップＳ０１０参照）にタグ（図８参照）として付加されて（図３のステップＳ１０６参照）、転送のため送信（転送送信）され（図３のステップＳ１０８参照）、一連の処理が終了されることとなる。
なお、ここで、無線中継機から上述のようにいわゆるタグ付きパケットが送信される場合とは、第１及び第２の無線接続型無線中継機６Ａ，６Ｂからレイヤ３タイプ無線中継機４へ対して送信される場合、有線接続型無線中継機５から有線側へ送信される場合（換言すれば、有線接続型無線中継機５からレイヤ３タイプ無線中継機４へ送信される場合）、また、レイヤ３タイプ無線中継機４から有線接続型無線中継機５へ送信される場合の各々の場合がある。
【００２３】
次に、ステップＳ２０２以降の処理について、図４を参照しつつ説明する。
ステップＳ２０２においては、先のステップＳ０２６（図２参照）において、受信されたパケットがブロードキャストパケットであると判定されたことに対応して、まず、先にステップＳ０１０（図２参照）で受信されたパケットから宛先ＩＰアドレスが読み取られることとなる。
そして、その宛先ＩＰアドレスを有する無線端末が属するサブネットワークと同一のサブネットワークに属する無線端末が検索テーブル（図９参照）中に存在するか否かが判定されることとなる（図４のステップＳ２０４参照）。
すなわち、まず、一般に知られているように、ＩＰアドレスと、その中に含まれるサブネットマスクとの乗算結果は、サブネット（セグメント）を表す。したがって、最初に、ステップＳ２０２で取得された宛先ＩＰアドレスがいずれのサブネットワークに属するか、換言すれば、いずれのサブネットに属するかを知るために、上述の関係式に基づいて演算が行われサブネットが求められる。
【００２４】
次いで、検索テーブルにおける各々のＭＡＣアドレスを有する無線端末のサブネットと上述のようにして求められた宛先ＩＰアドレスが属するサブネットとが同一か否かが順に判定される。
すなわち、検索テーブルの中から一つづつＩＰアドレスが選択されて、上述したような演算によりサブネットが算出され、その算出結果と、宛先ＩＰアドレスが属するサブネットとが同一であるか否かが判定される。そして、同一と判定された場合には、その時点でこの判定処理を終える一方、同一でないと判定された場合には、検索テーブルの次のＩＰアドレスについて同様な処理を行う。このようにして、同一であるとの判定を得た場合（ＹＥＳの場合）には、ステップＳ２０６へ進む一方、検索テーブルのいずれのＩＰアドレスについても、その属するサブネットは、宛先ＩＰアドレスが属するサブネットと同一ではないと判定された場合（ＮＯの場合）には、ステップＳ２１０へ進むこととなる。
【００２５】
ステップＳ２０４の判定において、ステップＳ２０２で取得された宛先ＩＰアドレスを有する無線端末が属するサブネットワークと同一のサブネットワークに属する無線端末が検索テーブル（図９参照）中に存在すると判定されたことは、受信されたパケットがダイレクテッドブロードキャスト(Directed Broadcast)であることを意味する。すなわち、この場合、受信されたパケットが、そのパケットを送信した無線端末が属するＶＬＡＮグループとは別個のＶＬＡＮグループ宛の一斉同報であることを意味する。
そして、この場合、その他のＶＬＡＮグループへパケットを転送する必要があるだけでなく、先のステップＳ２０４において、ＹＥＳの判定がなされたことは、同一のサブネットワークに属する無線端末がこの無線中継機の配下に属していることを意味することから、無線中継機の配下の無線端末に向けてもパケットを送信する必要がある。
そのため、まず、先のステップＳ２０４における処理において、サブネットワークがステップＳ２０２で取得された宛先ＩＰアドレスを有する無線端末が属するサブネットワークと一致すると判定された無線端末のVLAN識別子が検索テーブル（図９参照）から取得されることとなる（図４のステップＳ２０６参照）。
そして、ステップＳ２１６において、まず、この無線中継機の配下の無線端末へ向けたパケット送信が行われることとなる。すなわち、この場合には、パケットは、VLAN識別子が付加されることなく送信されることとなる。
【００２６】
一方、ステップＳ２０４の判定において、ステップＳ２０２で取得された宛先ＩＰアドレスが属するサブネットワークと同一のサブネットワークに属する無線端末が検索テーブル（図９参照）中に存在しないと判定されたことは、受信されたパケットがリミテッドブロードキャスト(Limited Broadcast)であることを意味する。すなわち、この場合、ステップＳ０１０（図２参照）で受信されたパケットは、無線中継機の配下にある無線端末からのものであって、しかも、その無線端末が属するＶＬＡＮ内の他の全ての端末へ向けて送信されたパケットであることを意味する。
したがって、受信したパケットを、この無線中継機の配下にあって、リミテッドブロードキャストの対象とされるＶＬＡＮグループに属する無線端末へ送信すると共に、他の無線中継機の配下にあって、このリミテッドブロードキャストの対象とされる無線端末へ送るべくパケットの転送を行う必要がある。
そのため、まず、先のステップ０１０において受信されたパケットから送信元ＭＡＣアドレスが読み取られる（図４のステップＳ２１０参照）。次いで、検索テーブルから、その送信元ＭＡＣアドレスに対応するVLAN識別子、換言すれば、パケットを送信した無線端末が属するＶＬＡＮのVLAN識別子が取得されることとなる（図４のステップＳ２１２参照）。
次に、検索テーブル中に、上述のステップＳ２１２で取得されたVLAN識別子が２つ以上あるか否か、すなわち、ステップＳ０１０で受信されたパケットを送信した無線端末の他に同一のＶＬＡＮグループに属し、しかも、この無線中継機の配下となっている他の無線端末があるか否かが判定されることとなる（図４のステップＳ２１４参照）。
【００２７】
そして、ステップＳ２１４において、ステップＳ２１２で取得されたVLAN識別子が検索テーブルに２つ以上あると判定された場合（ＹＥＳの場合）には、ステップＳ２１６へ進み、無線中継機の配下の無線端末へ向けてパケットが送信されることとなる。
一方、ステップＳ２１２で取得されたVLAN識別子が検索テーブルに２つ以上はない、すなわち、ステップＳ０１０で受信されたパケットを送信した無線端末以外に、同一のVLAN識別子を有する無端端末はないと判定された場合（ＮＯの場合）、又は上述したステップＳ２１６の処理後は、他の無線中継機へ向けてパケットを転送すべく、まず、ステップＳ２０６又はステップＳ２１２で取得されたVLAN識別子（図９参照）が転送されるパケットに付加されることとなる（図８及び図４のステップＳ２１８参照）。そして、VLAN識別子が付加されたタグ付きパケットが無線中継機により転送送信され（図４のステップＳ２２０参照）、一連の処理が終了されることとなる。なお、ここで、無線中継機によるパケットの転送の形態としては、例えば、図１に示された構成においては、有線接続型無線中継機５がＬＡＮ基幹線１へパケットを送信する場合、第１又は第２の無線接続型無線中継機６Ａ，６Ｂが、レイヤ３タイプ無線中継機４へ向けて送信する場合、レイヤ３タイプ無線中継機４がＬＡＮ基幹線１へパケットを送信する場合、レイヤ３タイプ無線中継機４が第１及び第２の無線接続型無線中継機６Ａ，６Ｂに向けて無線送信する場合がある。
【００２８】
次に、ステップＳ３０２以降の処理について、図５を参照しつつ説明する。
ステップＳ３０２においては、先のステップＳ０３２（図２参照）の処理で取得された宛先ＭＡＣアドレスが、検索テーブル（図９参照）に存在するか否かが判定されることとなる。そして、このステップＳ３０２において、ステップＳ０３２の処理で取得された宛先ＭＡＣアドレスが、検索テーブルに存在しないと判定された場合（ＮＯの場合）には、この無線中継機の配下には、受信されたパケットを送信するべき無線端末が存在しないことを意味することから、ステップＳ０１０（図２参照）で受信されたパケットは、そのまま転送のため送信（転送送信）されることとなる（図５のステップＳ３０６参照）。
一方、ステップＳ３０２において、ステップＳ０３２（図２参照）の処理で取得された宛先ＭＡＣアドレスが、検索テーブルに存在すると判定された場合（ＹＥＳの場合）には、ステップＳ０１０（図２参照）で受信されたパケットが、この無線中継機の配下となっている無線端末へ向けて送信されるべきものであることを意味することから、その受信されたパケットに付加されていたタグ（VLAN識別子）が削除されて無線端末へ向けて送信されることとなり（図５のステップＳ３０４，Ｓ３０６参照）、一連の処理が終了されることとなる。
【００２９】
次に、ステップＳ４０２以降の処理について、図６を参照しつつ説明する。
ステップＳ４０２においては、受信されたパケットがブロードキャストパケットであると判定されている（図２のステップＳ０３４参照）ことに対応して、他の無線中継機へ対してそのパケットの転送送信が行われることとなる。
次いで、受信したパケットから宛先ＩＰアドレスが読み取られ（図６のステップＳ４０４参照）、その宛先ＩＰアドレスを有する無線端末が属するサブネットワークと同一のサブネットワークに属する無線端末が検索テーブル（図９参照）中に存在するか否かが判定されることとなる（図６のステップＳ４０６参照）。なお、この同一サブネットワークに属する無線端末が検索テーブル中に存在するか否かの判定の具体的な手順は、先にステップＳ２０４（図４参照）で説明したと同様であるので、ここでの再度の説明は省略することとする。
【００３０】
そして、ステップＳ４０６において、受信したパケットから取得された宛先ＩＰアドレスを有する無線端末が属するサブネットワークと同一のサブネットワークに属する無線端末が検索テーブル中に存在すると判定された場合（ＹＥＳの場合）、そのパケットを送るべき無線端末がこの無線中継機の配下にあることを意味することから、受信されたパケットに付加されていたタグ（VLAN識別子）が削除されて（図６のステップＳ４１２参照）、無線端末へ向けて送信されることとなる（図６のステップＳ４１４参照）。
一方、ステップＳ４０６において、受信したパケットから取得された宛先ＩＰアドレスを有する無線端末が属するサブネットワークと同一のサブネットワークに属する無線端末が検索テーブル中に存在しないと判定された場合（ＮＯの場合）、そのパケットは先にステップＳ２０４において説明したと同様に、リミテッドブロードキャスト(Limited Broadcast)であることを意味する。
そこで、まず、受信されたパケットからVLAN識別子が読み取られ（図６のステップＳ４０８参照）、次いで、そのVLAN識別子が検索テーブルに存在するものであるか否かが判定されることとなる（図６のステップＳ４１０参照）。
【００３１】
そして、ステップＳ４１０において、VLAN識別子が検索テーブルに存在すると判定された場合（ＹＥＳの場合）には、受信されたパケットを送るべき無線端末がこの無線中継機の配下に存在することを意味することから、受信されたパケットに付加されていたタグ（VLAN識別子）が削除されて（図６のステップＳ４１２参照）、無線端末へ向けて送信され、一連の処理が終了されることとなる（図６のステップＳ４１４参照）。
一方、ステップＳ４１０において、VLAN識別子が検索テーブルに存在しないと判定された場合（ＮＯの場合）には、この無線中継機の配下の無線端末に向けてパケットを送信する必要がないので、一連の処理が終了されることとなる。
【００３２】
このようにレイヤ３タイプ無線中継機４、有線接続型無線中継機５、第１及び第２の無線接続型無線中継機６Ａ，６Ｂにおいて、上述のような無線ＶＬＡＮパケット処理が行われることによって、これら有線接続型無線中継機５、第１及び第２の無線接続型無線中継機６Ａ，６Ｂ間における無線端末７ａ〜７ｇの自由な移動運用が可能となる。すなわち、例えば、無線端末７ｂが、第１の無線接続型無線中継機６Ａの配下となっている状態、換言すれば、第１の無線接続型無線中継機６Ａの通信可能な範囲に位置する状態から、第２の無線接続型無線中継機６Ｂと通信可能な範囲へ移動し、パケットを送信したとする。ここで、仮に、第１及び第２の無線接続型無線中継機６Ａ，６Ｂが、従来型の無線中継機、すなわち、同一のサブネット内でのパケットを単純に転送するだけの機能しか有せず、図２乃至図６を参照しつつ説明したような無線ＶＬＡＮパケット処理機能を有しないものであるとする。この場合、上述のように無線端末７ｂが第２の無線接続型無線中継機６Ｂの通信範囲へ移動して、パケットを送信しても第１の無線接続型無線中継機６Ａと第２の無線接続型無線中継機６Ｂとはサブネットが異なるために、従来は、第２の無線接続型無線中継機６Ｂと無線端末７ｂとの通信はそのままではできず、無線端末７ｂのＩＰアドレスの再設定を行うことによって初めて第２の無線接続型無線中継機６Ｂとの通信が可能となるものであった。
【００３３】
しかしながら、本発明の実施の形態においては、上述のように無線端末７ｂが移動した場合には、ステップＳ０１４（図２参照）以降の処理が実行されることとなり、それによって、無線端末７ｂは、第２の無線接続型無線中継機６Ｂと従来と異なり新たなＩＰアドレスの設定を行うことなく通信できることとなる。しかも、管理用コンピュータ３には、無線端末７ｂの移動が通知され（図２のステップＳ０１８参照）、その結果、管理用コンピュータ３においては、無線端末７ｂの位置追尾が可能となる。
すなわち、従来においては、通常、同じ無線中継機の配下の無線端末は、単一のサブネットに属することとなり、異なるサブネットに属する無線端末がひとつの無線中継機の配下となることはできなかった。これに対して本発明の実施の形態においては、一つの無線中継機の配下に異なるサブネットに属する無線端末が存在することが可能となるものである。
【００３４】
なお、上述の構成において、相互に授受されるパケットの種類について整理すると、レイヤ３タイプ無線中継機４とサーバ２との間は、タグ無しパケットが授受される一方、レイヤ３タイプ無線中継機４と管理用コンピュータ３との間、及びレイヤ３タイプ無線中継機４と有線接続型無線中継機５との間では、それぞれタグ付きパケットが授受されることとなる。
また、レイヤ３タイプ無線中継機４と第１及び第２の無線接続型無線中継機６Ａ，６Ｂとの間では、タグ付きパケットが授受され、第１及び第２の無線接続型無線中継機６Ａ，６Ｂと無線端末７ｂ〜７ｇとの間では、タグ無しパケットが授受されることとなる。
さらに、有線接続型無線中継機５と無線端末７ａとの間では、タグ無しパケットが授受されることとなる。
【００３５】
次に、先に図２のステップＳ０１８で言及したように無線端末の移動が生じた際の管理用コンピュータ３における動作及び無線端末が離脱した無線中継機における動作について、図１０乃至図１２を参照しつつ説明する。
最初に、管理用コンピュータ３における動作について図１０及び図１１を参照しつつ説明する。
処理が開始されると、先のステップ０１８（図２参照）で無線中継機から送信された情報の受信が行われ、そのパケットが新規な端末が検出されたことに対応するものであるか否かの判定が行われることとなる（図１０のステップＳ５０２参照）。すなわち、先のステップＳ０１８の処理によって無線中継機から送信されるパケットには、無線中継機配下に新たな端末が検出された旨のメッセージが付加されており、管理用コンピュータ３は、このような新規端末検出のメッセージが受信されたか否かの判定を行う。
そして、ステップＳ５０２において、無線中継機からの新規端末検出を知らせるパケットを受信をしたと判定された場合（ＹＥＳの場合）には、次述するステップＳ５０４へ進む一方、受信していないと判定された場合（ＮＯの場合）には、この一連の処理が終了されることとなる。
【００３６】
ステップＳ５０４においては、受信されたＭＡＣアドレスについて、データベースの検索が行われることとなる。
すなわち、管理用コンピュータ３には、各々の無線中継機５，６Ａ，６Ｂの配下となっている各々の無線端末７ａ〜７ｇに関して、例えば、図１１に示されたように、各々の無線端末７ａ〜７ｇのＭＡＣアドレスが、ユーザＩＤ及びパスワードに対応づけされていずれのＶＬＡＮグループに属するかのデータと、そのＭＡＣアドレスに対応する先に述べたVLAN識別子、ＩＰアドレス、サブネットマスク、さらには、無線端末７ａ〜７ｇが属している無線中継機の識別子のデータがデータベースとして記憶されている。
ここで、ユーザＩＤ、すなわち、利用者識別情報及びパスワードは、無線端末とネットワークとの通信の開始に際してセキュリティ保持等の観点から用いられる公知・周知のものである。なお、図１１においては、図示を簡単なものとするため、便宜上、具体的な数値データ全てを記述したものではなく、「〜」や「xx」、また「＊＊」、さらには英文字などによって一部省略したものとしている。また、図１１において、「中継機」の表記がされた列は、各々の無線端末が属する無線中継機の識別子が記録される部分である。
【００３７】
データベース検索は、この図１１のようなデータベースの中に、受信されたＭＡＣアドレスと同一のものを検索するものである。
そして、当該ＭＡＣアドレスがデータベース中に存在するか否か（換言すれば、既存のものか否か）が判定され（図１０のステップＳ５０６参照）、既存のものではないと判定された場合（ＮＯの場合）、すなわち、換言すれば、データベース中に受信されたＭＡＣアドレスと同一のものが存在しなかった場合には、後述するステップＳ５１６へ進むこととなる。
一方、ステップＳ５０６において、データベース中に同一のＭＡＣアドレスが存在すると判定された場合（ＹＥＳの場合）には、無線中継機の識別子の有無及び相違があるか否かが判定されることとなる（図１０のステップＳ５０８参照）。すなわち、管理用コンピュータ３においては、無線中継機から先に説明したステップＳ０１８（図２参照）の実行によるパケットを受信した際に、その無線中継機の識別子が認識されるので、データベースにその識別子が存在し、かつ、受信されたＭＡＣアドレスに対応する無線中継機の識別子と相違するか否かの判定が行われることとなる（図１０のステップＳ５０８）。
【００３８】
無線端末がその属する無線中継機を移動したということは、無線端末及び無線中継機がいずれも予め管理用コンピュータ３に登録されているものとすれば、データベースに記録されているその無線端末のＭＡＣアドレスに対応する無線中継機の識別子と、ステップＳ０１８によるパケットの送信を受けた無線中継機の識別子とは相違することとなり、管理用コンピュータ３においては、その無線中継機の識別子の相違が検索されることで、無線中継機の移動が生じたと認識することができることとなる。したがって、この場合には、ステップＳ５１０の処理へ進むこととなる。
一方、ステップＳ５０８において、データベースにその識別子が存在し、かつ、受信されたＭＡＣアドレスに対応する無線中継機の識別子と相違するとの判定以外の判定結果の場合には、後述するステップＳ５１４の処理へ進むこととなる。このようなケースとして、具体的に最も生じ得るケースとしては、無線中継機の識別子がデータベースに無い場合であり、これは、いずれの無線中継機にも属していなかった無線端末が検出されたことを意味する。またもう一つのケースとして、データベースに記録されている無線端末のＭＡＣアドレスに対応する無線中継機の識別子と、ステップＳ０１８によるパケットの送信を受けた無線中継機の識別子とが一致する場合がある。このケースは、通常あり得ないが、何らかの原因により無線中継機における検索テーブル等のデータが壊れたような場合が考えられる。
これらの場合には、ＭＡＣアドレスの送信を行った（図２のステップＳ０１８参照）無線中継機へ対して、そのＭＡＣアドレスを有する無線端末に関するVLAN識別子、ＩＰアドレス、サブネットマスクなどのＶＬＡＮ情報が送信され（図１０のステップＳ５１４参照）、一連の処理が終了されることとなる。
【００３９】
次に、ステップＳ５１０においては、無線端末が離脱した無線中継機（移動元）へ対して、先に図９を参照しつつ説明した検索テーブルから当該無線端末に関するＭＡＣアドレス及びそれに対応づけられたVLAN識別子などのデータ（関連情報）の削除が指示されることとなる（図１０のステップＳ５１０参照）。
そして、管理用コンピュータ３においては、ステップＳ０１８（図２参照）で無線端末のＭＡＣアドレスの送信を行った無線中継機の識別子によるデータベースの更新が行われることとなる（図１０のステップＳ５１２参照）。すなわち、ステップＳ０１８において送信されたＭＡＣアドレスを有する無線端末について、管理用コンピュータ３に記憶されているデータベースにおいて、その無線端末のＭＡＣアドレスに関連づけされて記憶されている無線中継機の識別子、VLAN ID、ＩＰアドレス、サブネットマスクが、ステップＳ０１８においてＭＡＣアドレスの送信を行った無線中継機のものに書き換えられることとなる。
そして、更新されたデータは、先に述べたように管理用コンピュータ３によって、ＭＡＣアドレスを送信した無線中継機すなわち、移動先（換言すればＭＡＣアドレスの受信元）へ送信され（図１０のステップＳ５１４参照）、一連の処理が終了されることとなる。
【００４０】
一方、先のステップＳ５０６において、送信されたＭＡＣアドレスは既存ではないと判定された場合（ＮＯの場合）には、そのＭＡＣアドレスの管理用コンピュータ３への登録処理が行われることとなる（図１０のステップＳ５１６参照）。なお、このＭＡＣアドレスの登録処理は、管理用コンピュータ３において、データべースに直ちに登録する仕方や、一旦、ユーザＩＤとパスワードによる公知・周知の認証処理を行い、認証が成立したものについてのみ登録する仕方など種々の形態を採り得るもので、特定の登録処理に限定される必要はないものである。また、このＭＡＣアドレスの登録は、管理用コンピュータ３において自動的に上述のような方法で行われるようにするだけでなく、管理用コンピュータ３において、ＭＡＣアドレスの登録が必要なことを、管理用コンピュータ３の管理者に通知し、管理者による手動入力によって初めて登録が可能となるようにしても良いもので、登録処理の自動、手動についてもここでは限定される必要がないものである。
そして、ＭＡＣアドレスの登録処理が行われた後は、先に述べたようにＳ５１４において、そのＭＡＣアドレスに関連づけされたVLAN IDなどが移動先の無線中継機へ送信されて一連の処理が終了されることとなる。
【００４１】
次に、上述のように管理用コンピュータ３によりデータ削除の指示を受けた無線中継機における動作について、図１２を参照しつつ説明する。
処理が開始されると、先に述べたような管理用コンピュータ３からのデータ削除指示が受信されたか否かが判定され（図１２のステップＳ６０２参照）、データ削除指示はなされていないと判定された場合（ＮＯの場合）には、このサブルーチン処理が一旦終了されて、メインルーチン処理が戻ることとなる。
一方、ステップＳ６０２においては、データ削除指示が受信されたと判定された場合（ＹＥＳの場合）には、検索テーブル（図９参照）から指示された無線端末に関するＭＡＣアドレス及びそれに対応づけされたVLAN識別子などのデータ（関連情報）の削除が行われ、一連の処理が終了されることとなる（図１２のステップＳ６０４参照）。
【００４２】
次に、無線ＬＡＮシステムの他の構成例について図１３を参照しつつ説明する。なお、図１に示された構成要素と同一の構成要素については、同一の符号を付してその詳細な説明を省略し、以下、異なる点を中心に説明する。
先に図１に示された構成例においては、レイヤ３タイプ無線中継機４が用いられたが、このレイヤ３タイプ無線中継機４は必ずしも必要ではなく、無線中継機としては、有線接続型無線中継機５ａ，５ｂのみをＬＡＮ基幹線１に接続した形態であっても良い（図１３参照）。すなわち、有線接続型無線中継機５ａ，５ｂは、図１に示された構成例における有線接続型無線中継機５と同一の機能を有してなるものである。
なお、かかる構成における有線接続型無線中継機５ａ，５ｂによるパケットの処理も、先に図２乃至図１２を参照しつつ説明したと基本的に同一であるので、ここでの再度の詳細な説明は省略することとする。
【００４３】
上述した発明の実施の形態においては、無線ＶＬＡＮシステムにおいて、無線端末が移動した場合に、その移動を管理用コンピュータ３において検出するための処理手順を示したが、無線ＶＬＡＮシステムに限定される必要はなく、有線ＬＡＮシステムにおける端末においても基本的に同様に適用できることは勿論である。
また、上述した本発明の実施の形態における、ＬＡＮシステムにおける端末の移動検出方法は、ＬＡＮの形態としてＭＡＣアドレスベースのものに適用した場合を説明したが、このような形態にのみ限 定される必要はなく、例えば他には公知・周知のいわゆるポートベースＶＬＡＮであっても同様に適用できることは勿論である。なお、ポートベースＶＬＡＮの場合には、図１１のデータベースに、端末が割り当てられたポート番号の情報を追加したものとするのが好適である。
【００４４】
【発明の効果】
以上、述べたように、本発明によれば、管理装置に予め記憶されている端末に関するデータベースを用いて端末の移動を判断するようにしたので、従来と異なり、簡易な処理で端末の移動を検出することができるという効果を奏するものである。
また、移動が生じた移動元の中継機に対してのみ、移動した端末に関する情報を削除させることを内容とするパケットを送信するようにしたので、従来と異なり、無駄なトラフィックを発生させず、トラフィックの低下を招くことなく移動に伴い必要となる処理を円滑に行うことが可能となるという効果を奏するものである。
【図面の簡単な説明】
【図１】本発明の実施の形態における無線ＬＡＮシステムの一構成例を示す構成図である。
【図２】本発明の実施の形態の無線ＶＬＡＮシステムにおけるパケット処理の前半部分における手順を示すフローチャートである。
【図３】本発明の実施の形態の無線ＶＬＡＮシステムにおけるパケット処理の後半部分のステップＳ１０２以降の手順を示すフローチャートである。
【図４】本発明の実施の形態の無線ＶＬＡＮシステムにおけるパケット処理の後半部分のステップＳ２０２以降の手順を示すフローチャートである。
【図５】本発明の実施の形態の無線ＶＬＡＮシステムにおけるパケット処理の後半部分のステップＳ３０２以降の手順を示すフローチャートである。
【図６】本発明の実施の形態の無線ＶＬＡＮシステムにおけるパケット処理の後半部分のステップＳ４０２以降の手順を示すフローチャートである。
【図７】ＭＡＣアドレスベースのＶＬＡＮ設定において無線中継機に記憶されるＭＡＣアドレスとＶＬＡＮグループの対応例を示す説明図であり、図７（Ａ）は、有線接続型無線中継機における記憶内容を説明する説明図、図７（Ｂ）は、第１の無線接続型無線中継機における記憶内容を説明する説明図、図７（Ｃ）は、第２の無線接続型無線中継機における記憶内容を説明する説明図である。
【図８】  VLAN識別子とその前後のパケットの内容の概略を模式的に示した模式図である。
【図９】無線中継機に記憶される検索テーブルの内容を模式的に示した模式図である。
【図１０】管理用コンピュータにおいて実行される端末移動検出処理の手順を示すサブルーチンフローチャートである。
【図１１】管理用コンピュータに記憶されるデータベースを説明する模式図である。
【図１２】無線端末が離脱した無線中継において実行される端末離脱処理の手順を示すサブルーチンフローチャートである。
【図１３】本発明の実施の形態における無線ＶＬＡＮシステムの他の構成例を示す構成図である。
【符号の説明】
１…ＬＡＮ基幹線
２…サーバ
３…管理用コンピュータ
４…レイヤ３タイプ無線中継機
５…有線接続型無線中継機
６Ａ…第１の無線接続型無線中継機
６Ｂ…第１の無線接続型無線中継機
７ａ〜７ｇ…無線端末
【図１】
0004138281.tif 000002
【図２】
0004138281.tif 000003
【図３】
0004138281.tif 000004
【図４】
0004138281.tif 000005
【図５】
0004138281.tif 000006
【図６】
0004138281.tif 000007
【図７】
0004138281.tif 000008
【図８】
0004138281.tif 000009
【図９】
0004138281.tif 000010
【図１０】
0004138281.tif 000011
【図１１】
0004138281.tif 000012
【図１２】
0004138281.tif 000013
【図１３】
0004138281.tif 000014